(57)【特許請求の範囲】
【請求項１】
内燃機関のシリンダブロックに装着されるオイルパンの外表面から離間してオイルパンを覆うメインカバー部とメインカバー部の端縁に形成されオイルパンと摺動自在に密着されたリップ部を有する弾性材料で成形されたオイルパンカバー本体を具備し、
リップ部内にリップ部をオイルパンに対して強く密着させるための弾力性を有する押圧枠が設けられていることを特徴とする内燃機関のオイルパンカバー。
【請求項２】
押圧枠のみでオイルパンに装着することを特徴とする請求項１に記載のオイルパンカバー。
【請求項３】
メインカバー部のオイルパン側にレゾネータを配設したことを特徴とする請求項１に記載のオイルパンカバー。
【請求項４】
メインカバー部に質量体を付設し、質量体がオイルパンカバー本体とともにダイナミックダンパを構成していることを特徴とする請求項１に記載のオイルパンカバー。
【請求項５】
リップ部に連続して、オイルパンとシリンダブロックの結合部を覆うカバーが形成されていることを特徴とする請求項１に記載のオイルパンカバー。
【発明の詳細な説明】
【０００１】
【発明の属する技術分野】
本発明は内燃機関のオイルパンを覆うオイルパンカバーに関する。
【０００２】
【従来の技術】
内燃機関のオイルパンは機関の金属の鋳物で形成されたシリンダブロックの非密閉的なスカート部を塞ぐように設けられているが通常薄板で板金成形され、機関内部の音が洩れやすく、またそれ自体が振動して騒音の発生源になることもある。そこで、オイルパンカバーでオイルパンを覆うことが公知である。
例えば、特開平９−２５６８６９号公報に開示されたものがあるが、この公報の装置ではオイルパンカバーはその外側に配置される遮蔽板で覆うことが必要であって構造が複雑で、製造コスト、組立てコストが高い。また、オイルパンカバー、遮蔽板に隙間が設けられていて音がもれてしまう可能性がある。
【０００３】
【発明が解決しようとする課題】
本発明は上記問題に鑑み、構造が簡単で、効果が確実なオイルパンカバーを提供することを目的とする。
【０００４】
【課題を解決するための手段】
請求項１の発明によれば、内燃機関のシリンダブロックに装着されるオイルパンの外表面から離間してオイルパンを覆うメインカバー部と、メインカバー部の端縁に形成されオイルパンのシリンダブロックへの結合部の近傍においてオイルパンと摺動自在に密着されたリップ部を有する弾性材料で成形されたオイルパンカバー本体を具備し、リップ部内にリップ部をオイルパンに対して強く密着させるための弾力性を有する押圧枠が設けられている内燃機関のオイルパンカバーが提供される。
この様に構成された内燃機関のオイルパンカバーは、メインカバー部がオイルパンを覆って、エンジン内部の音が洩れることを防止し、リップ部がオイルパンと摩擦するのでオイルパンの振動を低減する。
【０００６】
請求項２の発明によれば、請求項１の発明において押圧枠のみでオイルパンに装着するようにしたオイルパンカバーが提供される。
この様に構成されたオイルパンカバーでは、押圧枠のみで簡単にオイルパンカバーをオイルパンに装着することができる。
【０００８】
請求項３の発明によれば、請求項１の発明においてメインカバー部のオイルパン側にレゾネータを配設したオイルパンカバーが提供される。
この様に構成されたオイルパンカバーでは、オイルパンの外側に洩れた音がレゾネータにより吸収される。
【０００９】
請求項４の発明によれば、請求項１の発明においてメインカバー部に質量体を付設し、質量体がオイルパンカバー本体とともにダイナミックダンパを構成したオイルパンカバーが提供される。
この様に構成されたオイルパンカバーでは、メインカバー部に付設された質量体がオイルパンカバー本体とともにダイナミックダンパを構成し、振動を吸収する。
【００１０】
請求項５の発明によれば、請求項１の発明においてリップ部に連続して、オイルパンとシリンダブロックの結合部を覆うカバーが形成されているオイルパンカバーが提供される。
この様に構成されたオイルパンカバーではオイルパンとシリンダブロックの結合部も覆われる。
【００１１】
【発明の実施の形態】
以下、添付図面を用いて本発明の実施の形態を説明する。
図１は本発明の第１の実施の形態の構造を示しており、エンジン１のシリンダブロック２の下端のフランジ部３にパッキン４を介してオイルパン５が固定されている。オイルパン５を覆うようにゴム製のオイルパンカバー６がオイルパン５に固定されている。
【００１２】
オイルパンカバー６は端縁においてオイルパン５に密着するように成形されたリップ部７と、それ以外のメインカバー部８から成る。この実施の形態においては、オイルパンカバー６のオイルパン５への固定は、ボルト９によっておこなわれている。リップ部７は固定せずにオイルパン５に密着されているのでオイルパン５が振動すると、オイルパン５とリップ部７は摺接し、その際の摩擦によりオイルパン５の振動は減衰される。
【００１３】
オイルパンカバー６のメインカバー部８の底部上面１０にはレゾネータ板１１が接着されている。レゾネータ板１１には複数の穴１２が設けられていて、メインカバー部８の底部上面１０とレゾネータ板１１で囲まれる空間に共鳴室が形成されオイルパン５を透過してきた音を吸収する。穴１２の径および個数は、最も吸収したい運転条件、例えば、アイドルに合わせて最適化されている。
【００１４】
図２は第１の実施の形態の変形例であって、オイルパンカバー６のリップ部７の外側が上方に延伸されてシリンダブロック２のフランジ３を覆う上向きリップ部１３が形成されているところが第１の実施の形態と異なる。このようにすることにより、シリンダブロック２とオイルパン５の結合部からの音の洩れを防ぐことができる。
【００１５】
図３は本発明の第２の実施の形態の構造を示す図であって、オイルパンカバー６のリップ部７は押圧枠１４を包むように形成されている。押圧枠１４は例えばピアノ線材のような復元力が強い鋼線で、図４に示すように、開放端部を有する楕円形状に作られていて、一部重複するような長さにされている。そして均一にリップ部７が密着ができるように、リップ部７が当接するオイルパン５の部分も対応する楕円形状にされている。
さらに、オイルパンカバー６はオイルパン５に形成された突起１５に引っかけてあるだけで、ネジ等は用いていない。この結果、オイルパンカバー６の装着が非常に簡単になる。
【００１６】
オイルパンカバー６のメインカバー部８の底部上面１０には第１の実施の形態と同様に穴１２を有するレゾネータ板１１が接着されていてオイルパン５を透過してきた音を吸収すが、この第２の実施の形態においては、さらに、オイルパンカバー６の底部下面１６に質量体１７が接着されている。
この質量体１７は、押圧枠１４を含むオイルパンカバー６と、レゾネータ板１１とともにアイドル時の振動を押さえるダイナッミックダンパの作用をおこなうような質量に設定されている。
この第２の実施の形態に第１の実施の形態の変形例のような上向きリップ部を設けることも勿論可能であり、逆に、この第２の実施の形態の様なオイルパンカバーの取り付け方法や、質量体の追加を第１の実施の形態、および、変形例に適用することも勿論可能である。
【００１７】
【発明の効果】
各請求項に記載の発明によれば、オイルパンカバーはオイルパンに非固定的に密着されるリップ部を有するので、良好な遮音と、制振を同時に果たすことができる。
特に、請求項２の発明のようにすれば、押圧枠のみでオイルパンカバーをオイルパンに装着することができオイルパンカバーの組付け工数を大幅に低減できる。
特に、請求項３の発明のようにすれば、オイルパンカバーにレゾネータが形成され遮音性が向上する。
特に、請求項４の発明のようにすれば、オイルパンカバーがダイナミックダンパの一部を構成するので、制振性の向上を、安価に達成することができる。
を構成したオイルパンカバーが提供される。
特に、請求項５の発明のようにすれば、オイルパンとシリンダブロックの結合部を覆うカバーが形成されている結合部の隙間からの音洩れの防止が同時に達成できる。
【図面の簡単な説明】
【図１】本発明の第１の実施の形態の構造を示す図である。
【図２】第１の実施の形態の変形例の構造を示す図である。
【図３】本発明の第２の実施の形態の構造を示す図である。
【図４】第２の実施の形態における押圧枠の形状を示す斜視図である。
【符号の説明】
２…シリンダブロック
３…フランジ
４…パッキン
５…オイルパン
６…オイルパンカバー
７…リップ部
８…メインカバー部
１１…レゾネータ板
１３…上向きリップ部
１４…押圧枠
１７…質量体
【図１】
0003598807.tif 000002
【図２】
0003598807.tif 000003
【図３】
0003598807.tif 000004
【図４】
0003598807.tif 000005